(57)【要約】【課題】従来のディスク径変換アダプタは、記録面側にディスク保持部１４０が形成されており、このディスク保持部１４０はディスク１０２の厚さよりも突出しているため、新世代の高容量ディスクとして登場したＢｌｅ−Ｒａｙディスクでは、アクチュエータコイルを損傷してしまうという課題がある。【解決手段】ディスク媒体の外周面に、ディスク径変換アダプタ装着防止部４１０を円周方向に設けることで、従来市販されているディスク径変換アダプタの装着を防止する。【選択図】図４
2008310864.tif 000002
【特許請求の範囲】
【請求項１】
円盤状に成形されたディスク媒体であって、前記ディスク媒体の外周面に、ディスク径変換アダプタ装着防止部を円周方向に設けたことを特徴とするディスク媒体。
【請求項２】
円盤状に成形されたディスク媒体であって、前記ディスク媒体の外周面に、ディスク径変換アダプタ装着防止部を前記ディスクの外周面のうち、少なくとも連続する６０度よりも広い複数の円周方向の均等な範囲に渡って設けたことを特徴とするディスク媒体。
【請求項３】
円盤状に成形されたディスク媒体であって、前記ディスク媒体の外周面に、前記ディスク規格による外径寸法を外周面の少なくとも連続する６０度よりも広い複数の円周方向の均等な範囲に渡って超える様なディスク径変換アダプタ装着防止部を設けたことを特徴とするディスク媒体。
【請求項４】
円盤状に成形されたディスク媒体であって、前記ディスク媒体の外周面に、前記ディスク規格による外径寸法を外周面の少なくとも６０度よりも狭い複数の円周方向の均等な位置毎にディスク径変換アダプタ装着防止部を設けたことを特徴とするディスク媒体。
【請求項５】
前記ディスク径変換アダプタ装着防止部は、ディスク媒体の外周面に、半径方向の均等な範囲に渡って設けられた、凸部又は凹部からなる、ディスク保持部を兼ねることを特徴とする請求項１から４に記載のディスク径変換アダプタ装着防止部を兼ねることを特徴とするディスク媒体。
【請求項６】
前記ディスク径変換アダプタ装着防止部を、前記外周面の全周に形成したことを特徴とする請求項１から４に記載のディスク媒体。
【請求項７】
前記ディスク媒体の外周面に設けられたディスク径変換アダプタ装着防止部は、略弓形であることを特徴とする請求項１から４記載のディスク媒体。
【請求項８】
前記ディスク媒体の外周面に設けられたディスク径変換アダプタ装着防止部は、ディスク媒体のデータと逆側の面に接する矩形状であることを特徴とする請求項１から４記載のディスク媒体。
【請求項９】
前記ディスク媒体の外周面に設けられたディスク径変換アダプタ装着防止部は、ディスク媒体のデータ面とその逆側の面のほぼ中間の高さに位置する凸形状であることを特徴とする請求項１から４記載のディスク媒体。
【請求項１０】
前記ディスク媒体の外周面に設けられたディスク径変換アダプタ装着防止部は、ディスク媒体のデータ面からその逆側の面に向かってディスク径が大きくなるようなテーパ状であることを特徴とする請求項１から４記載のディスク媒体。
【請求項１１】
前記ディスク媒体の外周面に設けられたディスク径変換アダプタ装着防止部は、ディスク媒体のデータ面からその逆側の面までほぼ均一に径方向寸法が大きくなるように形成したことを特徴とする請求項１から４記載のディスク媒体。
【請求項１２】
前記ディスク媒体は、Ｂｌｕ−Ｒａｙ規格の直径８０ｍｍタイプのディスク媒体であって、前記アダプタ装着防止部の直径が少なくとも８１ｍｍを超えるように設けたことを特徴とする請求項１から４記載のディスク媒体。
【請求項１３】
前記ディスク媒体は、Ｂｌｕ−Ｒａｙ規格の直径８０ｍｍタイプのディスク媒体であって、前記アダプタ装着防止部は、スピンコートにより形成される保護層をスピンコートによる形成の際にディスク外周部に故意にはみ出させて形成することを特徴とする請求項１から４記載のディスク。
【請求項１４】
前記ディスク媒体は、Ｂｌｕ−Ｒａｙ規格の直径８０ｍｍタイプのディスク媒体であって、前記アダプタ装着防止部は、外周部のリブと一体で成形されることを特徴とする請求項１から４記載のディスク媒体。
【請求項１５】
前記ディスク媒体は、Ｂｌｕ−Ｒａｙ規格の直径８０ｍｍタイプのディスク媒体であって、前記アダプタ装着防止部は、基材部の直径を大きくすることによって構成されたことを特徴とする請求項１から４記載のディスク媒体。
【発明の詳細な説明】
【技術分野】
【０００１】
本発明は、ＣＤやＤＶＤ、Ｂｌｕ−Ｒａｙなどのディスク、及びこのディスクの径を変換するためのディスクアダプタに関する。
【背景技術】
【０００２】
従来のディスク及びディスク径変換アダプタを図１５、図１６、図１７に示す（例えば、特許文献１参照）。
【０００３】
図１５は、従来のディスク及びディスク径変換アダプタをレーベル面から見た図である。図１５おいて、１０１はリング状に形成されたディスク径変換アダプタ、１０２は小径ディスク媒体で、一般には１２ｃｍ径規格のディスクに８ｃｍ径規格のディスクを変換して１２ｃｍ規格のディスク媒体にのみ対応する記録再生装置に装填する為に用いる。
【０００４】
１４０は、ディスク径変換アダプタ１０１のディスク保持部である。図１６は、ディスク保持部１４０と、小径ディスク１０１の断面を拡大した図である。ディスク保持部１４０は、小径ディスク１０２の記録面側に爪状にかかっており、記録面側から小径ディスク１０２を保持する構造になっている。
【０００５】
また、このディスク保持部周辺は小径ディスク１０２の径に対して一定のギャップｄを持っており、このギャップｄは、ディスク径の公差を考慮して一定の余裕を持って設計されている。
【０００６】
１１０は、ヒンジ部で３カ所に等間隔に形成されており、それぞれのヒンジ部には１つの押圧部１２０が形成されている。
【０００７】
図１７は、このヒンジ部１１０付近の拡大図、断面図である。ヒンジ部１１０は、スリット１５０により、アダプタ１０１本体に対して中心方向に押圧可能な弾性構造となっている。
【０００８】
押圧部１２０は、小径ディスク媒体１０２の径に対して若干狭く設計されており、弾性構造により小径ディスク１０２を外周から内周に向かって押圧することにより着脱可能に支持する。
【０００９】
また、押圧部１２０のディスク保持部１４０と逆側の面には、突起部１３０が形成されており小径ディスク１０２がディスク保持部１４０の逆側の面に脱落するのを防ぐはたらきをする。
【００１０】
小径ディスク１０２は、CD、DVD規格のものが一般的でその寸法は８０ｍｍという規格になっており、この径に対応して１２０ｍｍ径に変換するためのディスク径変換アダプタ１０１が市販されている。
【特許文献１】意匠登録第８７３１６９号公報
【発明の開示】
【発明が解決しようとする課題】
【００１１】
しかしながら、前記従来のディスク径変換アダプタでは、記録面側にディスク保持部１４０が形成されており、このディスク保持部１４０はディスク１０２の厚さよりも突出している。
【００１２】
一方、光ディスク装置では、一般的に、光学レンズを半径及び、フォーカス方向に可動するアクチュエータコイルにより構成されており、ディスク及びピックアップの光学設計により定められた位置でフォーカシング制御が行われ、光学レンズはディスクのデータ面に略一定距離に制御される。
【００１３】
ところが、近年新世代の高容量ディスクとして登場したＢｌｅ−Ｒａｙディスクでは、光学設計上ディスク側の保護層が０．１ｍｍ（ＣＤ１．１ｍｍ、ＤＶＤ０．６ｍｍ）と非常に薄く、これに対応するために高いＮＡのレンズを用いている関係上、フォーカシング時のディスクと光学レンズの距離が非常に近く、最外周付近のデータを再生する際に、この様な突出部に光学レンズ、もしくは光学レンズを保護する目的で光学レンズよりも突出して設けられている光学レンズ保護部材（レンズプロテクタ）がひっかかる様な設計寸法となっており、最外周付近のデータを記録／再生しようとしただけでアクチュエータコイルを損傷してしまうという課題がある。
【００１４】
また、この問題に対応する為に特願２００６−００１６１０では、ディスクの厚さより突出することなく、ディスク径変換アダプタを装着できる専用のディスク、及びこのディスクを保持するのに適した専用のディスク径変換アダプタを考案しているが、ＣＤ、ＤＶＤ用のディスク径変換アダプタは既に市販されており、このようなディスク径変換アダプタにＢｌｕ−Ｒａｙ規格の小径ディスクを装着されたものを、Ｂｌｕ−Ｒａｙディスク記録再生装置にて使用しようとされた場合にはアクチュエータコイルの損傷を防ぐことはほぼ不可能である。
【００１５】
そこで本発明は、特に、既に市販されているＣＤ、ＤＶＤ用のディスク径変換アダプタに対して使用不可能でアクチュエータを損傷してしまう、Ｂｌｕ−Ｒａｙ規格の小径ディスクを装着することを防止するのに適した形状のディスク媒体を提供することを目的とする。
【課題を解決するための手段】
【００１６】
前記従来の課題を解決するために、
本発明のディスク媒体は、
円盤状に成形されたディスク媒体であって、前記ディスク媒体の外周面に、ディスク径変換アダプタ装着防止部を円周方向に設けたこと、
を特徴とするものである。
【００１７】
また、本発明のディスク媒体は、
円盤状に成形されたディスク媒体であって、前記ディスク媒体の外周面に、ディスク径変換アダプタ装着防止部を前記ディスクの外周面のうち、少なくとも連続する６０度よりも広い複数の円周方向の均等な範囲に渡って設けたことを特徴とするものである。
【００１８】
また、本発明のディスク媒体は、
円盤状に成形されたディスク媒体であって、前記ディスク媒体の外周面に、前記ディスク規格による外径寸法を外周面の少なくとも連続する６０度よりも広い複数の円周方向の均等な範囲に渡って超える様なディスク径変換アダプタ装着防止部を設けたことを特徴とするもので、円盤状に成形されたディスク媒体であって、前記ディスク媒体の外周面に、ディスク径変換アダプタ装着防止部を前記ディスクの外周面のうち、少なくとも連続する６０度よりも広い複数の円周方向の均等な範囲に渡って設けたことを特徴とするものである。
【００１９】
また、本発明のディスク媒体は、
円盤状に成形されたディスク媒体であって、前記ディスク媒体の外周面に、前記ディスク規格による外径寸法を外周面の少なくとも６０度よりも狭い複数の円周方向の均等な位置毎にディスク径変換アダプタ装着防止部を設けたことを特徴とするものである。
【００２０】
また、本発明のディスク媒体は、
円盤状に成形されたディスク媒体であって、前記ディスク媒体の外周面に、少なくとも６０度よりも広い複数の半径方向の均等な範囲に渡って設けられた、凸部又は凹部からなる、ディスク保持部が設けられており、前記ディスク保持部は前記ディスクの規格により定められた外形寸法を超える様に形成されたディスク径変換アダプタ装着防止部を兼ねることを特徴とするものである。
【００２１】
また、本発明のディスク媒体は、
前記ディスク径変換アダプタ装着防止部を、前記外周面の全周に形成したことを特徴とするものである。
【００２２】
また、本発明のディスク媒体は、
前記ディスク媒体の外周面に設けられたディスク径変換アダプタ装着防止部は、略弓形であることを特徴とするものである。
【００２３】
また、本発明のディスク媒体は、
前記ディスク媒体の外周面に設けられたディスク径変換アダプタ装着防止部は、ディスク媒体のデータと逆側の面に接する矩形状であることを特徴とするものである。
【００２４】
また、本発明のディスク媒体は、
前記ディスク媒体の外周面に設けられたディスク径変換アダプタ装着防止部は、ディスク媒体のデータ面とその逆側の面のほぼ中間の高さに位置する凸形状であることを特徴とするものである。
【００２５】
また、本発明のディスク媒体は、
前記ディスク媒体の外周面に設けられたディスク径変換アダプタ装着防止部は、ディスク媒体のデータ面からその逆側の面に向かってディスク径が大きくなるようなテーパ状であることを特徴とするものである。
【００２６】
また、本発明のディスク媒体は、
前記ディスク媒体の外周面に設けられたディスク径変換アダプタ装着防止部は、ディスク媒体のデータ面からその逆側の面までほぼ均一に径方向寸法が大きくなるように形成したことを特徴とするものである。
【００２７】
また、本発明のディスク媒体は、
前記ディスク媒体は、Ｂｌｕ−Ｒａｙ規格の直径８０ｍｍタイプのディスク媒体であって、前記アダプタ装着防止部の直径が少なくとも８１ｍｍを超えるように設けたことを特徴とするものである。
【００２８】
また、本発明のディスク媒体は、
前記ディスク媒体は、Ｂｌｕ−Ｒａｙ規格の直径８０ｍｍタイプのディスク媒体であって、前記アダプタ装着防止部は、スピンコートにより形成される保護層をスピンコートによる形成の際にディスク外周部に故意にはみ出させて形成することを特徴とするものである。
【００２９】
また、本発明のディスク媒体は、
前記ディスク媒体は、Ｂｌｕ−Ｒａｙ規格の直径８０ｍｍタイプのディスク媒体であって、前記アダプタ装着防止部は、外周部のリブと一体で成形されることを特徴とするものである。
【００３０】
また、本発明のディスク媒体は、
前記ディスク媒体は、Ｂｌｕ−Ｒａｙ規格の直径８０ｍｍタイプのディスク媒体であって、前記アダプタ装着防止部は、基材部の直径を大きくすることによって構成されたことを特徴とするものである。
【発明の効果】
【００３１】
以上の様に本発明に記載のディスク媒体によれば、高いＮＡを持つＢｌｕ−Ｒａｙディスクの様な規格の小径ディスクに、従来から市販されている径変換アダプタの装着を防止することができるので、記録再生装置のレンズまたはレンズプロテクタが、径変換アダプタのデータ面突出部へ接触することによりアクチュエータコイルを損傷することを未然に防ぐことが出来る。
【発明を実施するための最良の形態】
【００３２】
（実施の形体１）
以下に、本発明の実施の形態１について図１５、図１６、図１７を用いて説明する。
【００３３】
図１５は、現在市販されているＣＤ、ＤＶＤの８ｃｍディスクを１２ｃｍディスクに径変換するための径変換アダプタと、ＣＤ、ＤＶＤの８ｃｍディスクを示す図である。１０１はリング状に形成されたディスク径変換アダプタ、１０２は小径ディスク媒体で、一般には１２ｃｍ径規格のディスクに８ｃｍ径規格のディスクを変換して１２ｃｍ規格のディスク媒体にのみ対応する記録再生装置に装填する為に用いる。ＣＤ、ＤＶＤ規格では８ｃｍディスク媒体の径寸法は規格で定められており、ＣＤが８０ｍｍ±０．２ｍｍ、ＤＶＤが８０ｍｍ±０．３ｍｍとなっている。１４０は、ディスク径変換アダプタ１０１のディスク保持部である。
【００３４】
図１６は、ディスク保持部１４０と、小径ディスク１０１の断面を拡大した図である。ディスク保持部１４０は、小径ディスク１０２の記録面側に爪状にかかっており、記録面側から小径ディスク１０２を保持する構造になっている。ＣＤ、ＤＶＤのディスク規格に対応するためには、ディスク保持部周辺の径は、最低でも８０ｍｍ＋０．３ｍｍ以上必要である。またこのディスク保持部周辺は小径ディスク１０２を装着する際の遊びを考慮して、小径ディスク１０２の径に対して一定のギャップｄを持って設計される。ディスクアダプタ自体には、規格上の寸法規定はないが、ディスク保持部１４０の爪によりディスク媒体を保持することを考慮して、現在市販されているアダプタは８０．５〜８１ｍｍ程度になっている（ギャップｄが大きすぎると爪から脱落する恐れがある。）。１１０は、ヒンジ部で３カ所に等間隔に形成されており、それぞれのヒンジ部には１つの押圧部１２０が形成されている。
【００３５】
図１７は、このヒンジ部１１０付近の拡大図、断面図である。ヒンジ部１１０は、スリット１５０により、アダプタ１０１本体に対して中心方向に押圧可能な弾性構造となっている。押圧部１２０は、小径ディスク媒体１０２の径に対して若干狭く設計されており、弾性構造により小径ディスク１０２を外周から内周に向かって押圧することにより着脱可能に支持する。たとえば、押圧部１２０の内径が７９．５ｍｍであるとすると、ディスク規格により最大８０．３ｍｍのディスクを保持する必要があるので、スリット１５０は、最低でも０．８ｍｍ必要なことになる。通常は、ディスク装着の際の遊びや、寸法公差を考慮して１ｍｍ〜１．５ｍｍ程度に設計されている。また、押圧部１２０のディスク保持部１４０と逆側の面には、突起部１３０が形成されており小径ディスク１０２がディスク保持部１４０の逆側の面に脱落するのを防ぐはたらきをする。
【００３６】
図１、図２、図３は、本発明のディスク媒体をレーベル面から見た図４、図５、図６、図７は、本発明のディスク媒体を従来の径変換アダプタに装着しようとした場合の断面図である。
【００３７】
図１において、４０１は本発明のディスク媒体である。本発明のディスク媒体４０１は、Ｂｌｕ−Ｒａｙ規格の様に、設計上のＮＡ値が大きく、フォーカスＯＮ時のレンズとディスクの作動距離が小さいため、従来のＣＤ、ＤＶＤ用の径変換アダプタ１０１に過って装着して使用した場合には、ディスク保持部１４０の爪に、レンズやレンズプロテクタが接触してアクチュエータコイルを損傷してしまう。４１０は、ディスク径変換アダプタ装着防止部である。ディスク径変換アダプタ装着防止部４１０は、外周径がディスク媒体径Ｒに対して、その規格値を超えるように形成されている。
【００３８】
ディスク径変換アダプタ１０１の内径で最も大きい部分は、ディスク保持部１４０周辺で、この径寸法は８０．５〜８１ｍｍ程度に設計されているので、ディスク径変換アダプタ装着防止部４１０の外径は最低でも８１ｍｍ以上とする必要がある。また、現在市販されているディスク径変換アダプタ１０１のディスク保持部１４０の周辺部と、ヒンジ部１１０は、ディスク径変換アダプタ１０１の中心から６０度毎に均等に３カ所づつ設けられている。
【００３９】
従って、ディスク径変換アダプタ装着防止部４０１の１カ所辺りの角度範囲θは、ディスク保持部１４０の周辺の角度範囲を超えるように、６０度よりも広く、なおかつ、ディスク媒体が回転した際の偏重心を最低限とする為に、均等な角度範囲で設ける必要がある。
【００４０】
図４は、図１におけるディスク媒体４１０の４２０の箇所の断面図である。ディスク径変換アダプタ装着防止部１４０は、弓形に形成されている。図１に示す様にディスク径変換アダプタ装着防止部１４０の１カ所あたりの角度範囲が６０度を超えるように、均等に３カ所設けられているので、どの様な回転位置関係でディスク径変換アダプタ１０１に装着しようとしても、少なくとも前記ディスク径変換アダプタ装着防止部１４０のうち異なる３点が、ディスク保持部１４０の内径を超えるため干渉して装着を防止する。
【００４１】
なお、ディスク径変換アダプタ装着防止部１４０の１カ所あたりの角度範囲は６０度よりも広い範囲であればどのような値でもよく、図２の様にディスク媒体全週に渡って設けても同様に実施可能である。また、１カ所あたりの角度範囲が６０度より小さい場合でも、６０度よりも狭い間隔で均等に設けることで同様の効果が得られる。
【００４２】
図３はたとえば、ディスク径変換アダプタ装着防止部を１カ所あたりの角度範囲を約５度とし、３０度毎に均等に設けた場合の図である。いずれの場合も、どの様な角度でディスク径変化アダプタ１０１に装着しようとしても、少なくとも前記ディスク径変換アダプタ装着防止部１４０のうち異なる３点が、ディスク保持部１４０の内径を超えるため干渉して装着を防止する。
【００４３】
また、ディスク径変換アダプタ装着防止部１４０端面の形状は、図４の様に弧状になめらかに形成するのが一般的であるが、図５の８０１の様にディスク媒体のデータと逆側の面に接する矩形状や、図６の９０１の様にディスク媒体のデータ面とその逆側の面のほぼ中間の高さに位置する凸形状、図７の１００１の様にディスク媒体のデータ面からその逆側の面に向かってディスク径が大きくなるようなテーパ状とすることでも同様の効果を得られる。
【００４４】
図４、図５、図６、図７に例示したディスク径変換アダプタ装着防止部１４０端面の形状は、いずれもトレイに載置、装置内部にディスクを引き込んでターンテーブルに装填するタイプの光ディスク装置において、小径ディスクをトレイ中央に載置するための位置決め用の段差に対応して、記録面側の外形寸法は規格内であるので、互換性を維持しつつ同様の効果を得ることが出来る。
【００４５】
また、図８の様にディスク径変換アダプタ装着防止部１４０の形状を、ディスク媒体のデータ面からその逆側の面までほぼ均一に径方向寸法が大きくなるように形成することや、他の形状としても現在市販されているディスク径変換アダプタの装着を防止できる点において同様の効果が得られる。
【００４６】
以上の様に本実施の形体１記載の発明によれば、高いＮＡを持つＢｌｕ−Ｒａｙディスクの様な規格の小径ディスクに、従来から市販されている径変換アダプタの装着を防止することができるので、記録再生装置のレンズまたはレンズプロテクタが、径変換アダプタのデータ面突出部へ接触することによりアクチュエータコイルを損傷することを未然に防ぐことが出来る。
（実施の形体２）
次に、本発明の実施の形態２について図９、図１０、図１１を用いて説明する。図９は、本発明のディスク媒体に、専用のディスク径変換アダプタを装着し、レーベル面から見た場合の図である。
【００４７】
１２０１は本発明のディスク媒体専用の、リング状に形成されたディスク径変換アダプタ、１２０２は本発明のディスク媒体で、１２０ｍｍ径規格のディスクに８０ｍｍ径規格のディスクを変換して１２０ｍｍ規格のディスク媒体にのみ対応する記録再生装置に装填する為に用いる。ディスク媒体の径寸法は規格で定められており、Ｒ＝８０ｍｍとなっている。
【００４８】
ディスク径変換アダプタ装着防止部１２０３は、全周に渡って図１０のＸ−Ｘ部の断面図に示すような凹形状をしており、全周に渡って規格上の径寸法を超えている為、従来のＣＤ、ＤＶＤ用のディスク径変換アダプタへの装着を防止するとともに、専用のディスク径変換アダプタ１２０１のディスク保持部１２１５に勘合する勘合部を兼ねていて、ディスク媒体１２０２のデータ面１２０３側へはディスク保持部１２１５が突出しない構造となっている。
【００４９】
図１１は、Ｙ−Ｙ部の断面図である。ヒンジ部１１０は、スリット１５０により、ディスク径変換アダプタ１２０１本体に対して中心方向に押圧可能な弾性構造となっている。押圧部１２０は、ディスク媒体１２０２のディスク径変換アダプタ装着防止部を含む径に対して若干狭く設計されており、弾性構造によりディスク媒体１２０２を外周から内周に向かって押圧することにより着脱可能に支持する。
【００５０】
また押圧部１２０は、ディスク媒体１２０２のデータ面と逆側に脱落防止部１２１６を備え、データ面と逆側へディスク媒体１２０２が脱落することを防止する。
【００５１】
以上の様に本実施の形体記載の発明によれば、専用の径変換アダプタを装着するためのディスク保持部が、従来の径変換アダプタ装着防止部を兼ねることにより、高いＮＡを持つＢｌｕ−Ｒａｙディスクの様な規格の小径ディスクに、従来から市販されている径変換アダプタの装着を防止することができるので、記録再生装置のレンズまたはレンズプロテクタが、径変換アダプタのデータ面突出部へ接触することによりアクチュエータコイルを損傷することを未然に防ぐことが出来るディスク媒体を提供することができる。
（実施の形体３）
次に、本発明の実施の形体３について図１２、図１３，図１４を用いて説明する。
【００５２】
図１２、図１３、図１４は本発明をＢｌｕ−Ｒａｙ規格のディスク媒体に適用した場合の外周付近の断面図である。図１２において、Ｂｌｕ−Ｒａｙ規格のディスクは基材１５０１と、保護層１５０３、基材上に形成されたデータ面１５０２から構成される。保護層１５０３は、通常スピンコートにより形成され厚さは約０．１ｍｍである。保護層１５０３から基材１５０１を含む全体のディスク厚さは１．２ｍｍとなっている。
【００５３】
本発明のディスク媒体の１番目の例として、ディスク径変換アダプタ装着防止部１５０４を、スピンコートにて保護層１５０１を作成する際に故意にディスク外周にはみ出させることにより形成したものである。
【００５４】
図１３は、同様に本発明のディスク媒体の２番目の例を示した断面図である。スピンコートにより保護層１５０３が形成される点は同じであるが、Ｂｌｕ−Ｒａｙ規格ではディスク面への傷つき防止などの為に、内周及び外周端にリブ１６０３を形成する様になっている。リブの厚さは、保護層１５０３のデータ面側から０．０５ｍｍ以下と定められており、保護層１５０３を形成した後に金型などで樹脂を成形して形成するのが一般的である。
【００５５】
本発明のディスク媒体の３番目の例として、このリブ１６０３を形成する際にディスク媒体径変換アダプタ装着防止部を一体として１６０１の様に形成するものである。また、図１４の様に、ディスク媒体径変換アダプタ装着防止部１７０２をディスク媒体の基材１５０１と予め一体で形成しておく方法でも同様に実施可能である。この場合、基材１５０１と一体で形成された径変換アダプタ装着防止部１７０２の端まで、保護層１５０３とリブ１７０１が形成される。
【００５６】
スピンコートにより形成される保護層を故意にディスク外周にはみださせることにより、またはディスク媒体のリブ形成部のみを変更、または基材部の直径を大きくすることにより、アダプタ装着防止部を形成するので、ディスク媒体の設計を大きく変更する必要が無く、高いＮＡを持つＢｌｕ−Ｒａｙディスクの様な規格の小径ディスクに、従来から市販されている径変換アダプタの装着を防止することができるので、記録再生装置のレンズまたはレンズプロテクタが、径変換アダプタのデータ面突出部へ接触することによりアクチュエータコイルを損傷することを未然に防ぐことが出来る。
【産業上の利用可能性】
【００５７】
本発明にかかるディスク媒体は、前記ディスク媒体の外周面に、ディスク径変換アダプタ装着防止部を円周方向に設けるので、高いＮＡを持つＢｌｕ−Ｒａｙディスクの様な規格の小径ディスクに、従来から市販されている径変換アダプタの装着を防止することができるので、記録再生装置のレンズまたはレンズプロテクタが、径変換アダプタのデータ面突出部へ接触することによりアクチュエータコイルを損傷することを未然に防ぐ用途に有効である。
【図面の簡単な説明】
【００５８】
【図１】本発明のディスク媒体をレーベル面から見た図
【図２】本発明のディスク媒体をレーベル面から見た図
【図３】本発明のディスク媒体をレーベル面から見た図
【図４】本発明のディスク媒体を従来の径変換アダプタに装着しようとした場合の断面図
【図５】本発明のディスク媒体を従来の径変換アダプタに装着しようとした場合の断面図
【図６】本発明のディスク媒体を従来の径変換アダプタに装着しようとした場合の断面図
【図７】本発明のディスク媒体を従来の径変換アダプタに装着しようとした場合の断面図
【図８】本発明のディスク媒体を従来の径変換アダプタに装着しようとした場合の断面図
【図９】本発明のディスク媒体に、専用のディスク径変換アダプタを装着し、レーベル面から見た場合の図
【図１０】図９Ｘ−Ｘ部の断面図
【図１１】図９Ｙ−Ｙ部の断面図
【図１２】本発明をＢｌｕ−Ｒａｙ規格のディスク媒体に適用した場合の外周付近の断面図
【図１３】本発明をＢｌｕ−Ｒａｙ規格のディスク媒体に適用した場合の外周付近の断面図
【図１４】本発明をＢｌｕ−Ｒａｙ規格のディスク媒体に適用した場合の外周付近の断面図
【図１５】従来のディスク媒体及びディスク径変換アダプタをレーベル面から見た図
【図１６】従来のディスク媒体及びディスク径変換アダプタのディスク保持部付近の断面図
【図１７】従来のディスク媒体及びディスク径変換アダプタのヒンジ部付近の拡大図と断面図
【符号の説明】
【００５９】
１０１：従来のディスク径変換アダプタ
１０２：従来の小径ディスク媒体
１１０：ヒンジ部 
１２０：押圧部
１３０：突起部
１４０：ディスク保持部
１５０：スリット
１０７：インターフェイス手段
１０８：ホストコンピュータ
１０９：リムーバブル媒体記録再生装置
４０１：本発明のディスク媒体
４１０：ディスク径変換アダプタ装着防止部
８０１：ディスク径変換アダプタ装着防止部
９０１：ディスク径変換アダプタ装着防止部
１００１：ディスク径変換アダプタ装着防止部
１１０１：ディスク径変換アダプタ装着防止部
１２０１：本発明のディスク媒体専用のディスク径変換アダプタ
１２０２：本発明のディスク媒体
１２０３：ディスク径変換アダプタ装着防止部
１２１５：ディスク保持部
１２１６：脱落防止部
１５０１：基材
１５０２：データ面
１５０３：保護層
１５０４：ディスク径変換アダプタ装着防止部
１６０１：リブ
１７０１：リブ
１７０２：ディスク径変換アダプタ装着防止部
【図１】
2008310864.tif 000003
【図２】
2008310864.tif 000004
【図３】
2008310864.tif 000005
【図４】
2008310864.tif 000006
【図５】
2008310864.tif 000007
【図６】
2008310864.tif 000008
【図７】
2008310864.tif 000009
【図８】
2008310864.tif 000010
【図９】
2008310864.tif 000011
【図１０】
2008310864.tif 000012
【図１１】
2008310864.tif 000013
【図１２】
2008310864.tif 000014
【図１３】
2008310864.tif 000015
【図１４】
2008310864.tif 000016
【図１５】
2008310864.tif 000017
【図１６】
2008310864.tif 000018
【図１７】
2008310864.tif 000019